(57)【要約】  椅子構成と水平の平坦なベッド構成との間で個々に転換可能な、隣り合わせのシート（３）のブロック（２）において、そのブロック内には、シート（３）が、配置され、実質的に同じ方向に向けられ、ベッド構成のシート（３）の２つの長手方向軸（３４）が、シートの前方に位置する一点に向かって、ベッド構成のシートの前方の、通常の使用においてシート（３）の占有者の足が配置される足領域が、重ねられるような距離を離して収束する。  ブロックのシートのベッド平面（３５）は、垂直にずらされ、前方に位置するブロックのシートのシート背もたれ間に配置された柱（４）内に配置された足領域（４１）の足のせ表面（４２）によって延ばされ、それによって快適性に影響を与えず、かつ乗客を輸送するための客室の改良されたレイアウトを可能にしながら、シートピッチを低減することが可能になる。【選択図】図２ａ
2013512815.tif 000002
【特許請求の範囲】
【請求項１】
少なくとも２つのシート（３、３’）を備えるブロック（２）であって、少なくとも２つの隣接するシート（３）が、各シートの要素（３１、３２、３３）を相対移動させることによって、前記シートの占有者が座る位置にある椅子構成と、前記シートの要素がベッド平面（３５）を形成し、前記シートの占有者の体が実質的に平坦にかつ実質的に水平に伸びるベッド構成に個々に転換可能であり、前記ブロック内では、前記２つのシート（３）が、隣り合わせで配置され、実質的に同じ方向に向けられる、ブロック（２）において、
前記少なくとも２つのシート（３）の各々が、前記ベッド構成の前記シートの前方および前記ベッド平面の延長上に位置する空間、すなわち前記シートの前記ベッド平面（３５）の延長上のいわゆる足領域（４１）に関連付けられ、
前記ベッド構成の前記少なくとも２つのシート（３）の各々の長手方向軸（３４）が、前記シートの前方の前記ブロックの対称の垂直平面内に位置する収束点に向かって収束し、それによって前記ブロックの前記少なくとも２つのシートの前記足領域（４１）が、垂直投影面において少なくとも部分的に重ね合わされ、
前記少なくとも２つのシート（３）が前記ベッド構成であるとき、前記少なくとも２つのシートの一方の前記ベッド平面（３５）が、前記ブロックが客室内に取り付けられたときの客室床部に対応する基準表面に対して、前記少なくとも２つのシートの他方の前記ベッド平面とは異なる高さに位置することを特徴とする、ブロック（２）。
【請求項２】
実質的に前記少なくとも２つのシート（３）の前記シート背もたれ（３２）間の後方部分内に、前記少なくとも２つのシートが前記椅子構成であるとき、実質的に垂直の柱（４）によって占有された分離空間を含み、前記柱が、当該の前記ブロック（２）の後方に、同じ方向でかつ同じ軸を実質的に有して、後方の類似のブロックのベッドの所望の長さＬ０未満であるブロックピッチＸと呼ばれる、前記２つのブロック間を分離する距離を離して置かれた前記類似のブロックの前記シートの足領域（４１）を垂直投影面においてカバーする、請求項１に記載のブロック。
【請求項３】
前記ベッド構成の前記ベッド平面（３５）が、前記シート（３、３’）の少なくとも１つにおける前記椅子構成の前記シートのシートクッション（３１）の位置の垂直的に上方にある、請求項２に記載のブロック。
【請求項４】
前記ベッド構成の前記ベッド平面（３５）が、前記シート（３）の少なくとも１つにおける前記椅子構成の前記シートのシートクッション（３１）の位置の垂直的に下方にある、請求項２に記載のブロック。
【請求項５】
前記少なくとも２つのシート（３）が前記ベッド構成であるとき、前記２つのシートの一方の前記ベッド平面（３５）が、前記椅子構成の前記シートの前記シートクッション（３１）の位置の垂直的に上方にあり、他方のシートの前記ベッド平面（３５）が、前記シートクッション（３１）の位置の下方にある、請求項２に記載のブロック。
【請求項６】
前記柱（４）が、互いから分離され、前記ブロック（２）の後方の方向に開口する２つの足領域（４１）を含み、各足領域（４１）は、実質的に水平面の足のせ表面（４２）を含み、前記足領域（４１）は、前記足のせ表面（４２）の一方が、前記ブロック（２）の前記シート（３）の１つの前記ベッド平面（３５）の高さに位置し、他方が、前記ブロックの別のシートとは異なる前記ベッド平面（３５）の高さに位置するように垂直にずらされる、請求項２から５のいずれか１項に記載のブロック。
【請求項７】
前記ベッド構成のシートの前記ベッド平面（３５）が、前記シートの前記シートクッション（３１）、前記シートの前記シート背もたれ（３２）、前記シートのレッグレスト（３３）および／または１つまたは複数の移動可能なパネルによって決定され、前記平面は、当該の前記ブロック（２）の前方に位置する類似のブロックの、またはそのような類似のブロックの柱に類似した特性を有する単独の柱の足領域（４１）の足のせ表面（４２）によって延ばされ、前記シートクッション、シート背もたれ、レッグレスト、移動可能なパネルおよび足のせ領域は、実質的に水平かつ同じ平面内で位置合わせされて前記ベッドを形成する、請求項６に記載のブロック。
【請求項８】
前記ベッド構成のシート（３、３’）の前記ベッド平面（３５）が、前記シートの前記シートクッション（３１）、前記シートの前記シート背もたれ（３２）、および前記シートのレッグレスト（３３）によって決定され、前記レッグレストは、当該の前記ブロック（２）の前方に置かれる類似のブロックの前記柱（４、４’）の、またはそのような類似のブロックの柱に類似した特性を有する単独の柱の中空の空間を貫通する足領域（４１）の足のせ表面（４２）を少なくとも部分的に形成し、前記シートクッション、シート背もたれおよびレッグレストは、実質的に水平にかつ同じ平面内で位置合わせされて前記ベッドを形成する、請求項２から５のいずれか１項に記載のブロック。
【請求項９】
２つの隣接するシート（３、３’）の前記ベッド平面（３５）は、前記２つのシートがいずれも前記ベッド構成であるとき、約３３０ｍｍの距離だけ垂直にずらされる、請求項７または８に記載のブロック。
【請求項１０】
前記柱（４）に、前記ブロックのための技術装置および／または当該の前記ブロック（２）の後方に位置するブロックの前記シートの前記占有者が使用することができる快適性を提供する装置または娯楽装置（４３）を組み入れる、請求項２から９のいずれか１項に記載のブロック。
【請求項１１】
２つのシート（３、３’）間の閉構造（２４）が、前記ベッド位置への転換中、前記シートクッションが下げられるシートに対応する前記閉構造の側に位置する側部トリムパネル（２４１）を備え、前記側部トリムパネルは、前記シートクッションが下げられる前記シートが前記ベッド構成であるとき、取り外し可能である、請求項２から１０のいずれか１項に記載のブロック。
【請求項１２】
後方部分内に、前記ブロックを固定することを意図した床部のレベルと、最も低いベッドの高さとの間に、前記ブロックの幅を横切る、保管空間を形成するくぼみ（２３）を含む、請求項２から１１のいずれか１項に記載のブロック。
【請求項１３】
収束する長手方向軸（３４）を備えた２つのシート（３）によって形成された、請求項２から１２のいずれか１項に記載のブロック。
【請求項１４】
３つのシート（３、３’）によって形成され、２つの隣接するシート（３）は、収束する長手方向軸（３４）を有し、第３のシート（３’）は、前記ブロック内の前記第３のシートに最も近い前記シート（３）の前記長手方向軸に実質的に平行な長手方向軸（３４’）を有し、前記第３のシートに最も近い前記シート（３）は、前記シートが前記ベッド構成に転換されるときに上昇するシートクッションを有するシートである、請求項２から１２のいずれか１項に記載のブロック。
【請求項１５】
少なくとも２つのシート（３、３’）の少なくとも２つのブロック（２）の少なくとも１列を有する、乗客を輸送するための客室（１）または客室の一部であって、前記ブロック内では、ブロック（２）の各シート（３）は、前記シートの要素（３１、３２、３３）の相対移動により、前記シートの占有者が座る位置にある椅子構成と、前記シートの前記要素がベッド平面を形成し、前記シートの占有者の体が実質的に平坦にかつ実質的に水平に伸びるベッド構成に個々に転換可能であり、前記ブロック内では、前記シート（３、３’）は隣り合わせで配置されて実質的に同じ方向に向けられ、前記少なくとも２つのブロックは、前記シートの向きの同じ方向で前後に配置され、かつブロックの列の方向に、前記ブロック（２）の各々の基準点間の距離を特徴付けるピッチＸだけ分離される、客室（１）または客室の一部において、前記客室は、ブロック（２）の前記シート（３、３’）の各々が、前記シート（３、３’）の向きの方向において直前の別のブロックの後に続く場合、前記ベッド構成において各シート（３）のベッド平面（３５）は、前記シートの前方の、前記シートの直前の前記ブロックの内側の、前記直前のブロックの前記シート（３、３’）の前記シート背もたれ（３２）間の柱（４）または第２の柱（４’）と呼ばれる、内蔵された空間内に位置する足領域（４１）によって延ばされること、および前記ベッド構成のブロック（２）の２つの隣接するシート（３）の前記ベッド平面（３５）が、前記客室（１）の床部上方で異なる高さにあり、それにより、前記柱（４）の内側の前記異なる高さに応じて配置された前記２つのシートの前記足領域（４１）が、前記柱内で重ねられることを特徴とする、客室（１）または客室の一部。
【請求項１６】
前記客室（１）の床部の垂直的に最も近くに位置するベッド平面を有するブロック（２）のシート（３、３’）が、ブロック（２）の、通路が接する側に位置する、請求項１５に記載の客室。
【請求項１７】
ブロックの少なくとも１列の前記ブロック（２）の前記ピッチＸが、前記ベッド構成において、当該の前記ブロック（２）に応じてさまざまな長さＬ０を有するベッドを形成するよう変更される、請求項１６に記載の客室。
【請求項１８】
ブロックの列における最も前方のブロック（２）には、前記列の前記シート（３）の向きの方向の前方に、ブロック（２）の柱（４）に類似する内蔵された柱（４ｅ）が前に置かれる、請求項１５から１７のいずれか１項に記載の客室。
【請求項１９】
請求項１５から１８のいずれか１項に記載の客室または客室の一部を備える、乗客を輸送するための車両であって、陸上、海上、または空路で乗客を輸送する分野の１つに属する、車両。
【発明の詳細な説明】
【技術分野】
【０００１】
本発明は、乗客輸送手段の客室の装備を施す分野に属する。
【０００２】
より詳細には、本発明は、たとえば航空機の客室などの乗客室の要求事項に特に適合された、ベッドに転換可能なシートに関する。
【背景技術】
【０００３】
人を輸送する分野において、比較的長い旅行をする必要がある乗客に対して、座る位置と、横になる平坦な位置に対応することができるくつろぎ位置とを乗客が選択できるように、旅行中に転換可能なシートを提供することが知られている。
【０００４】
ベッドに転換可能な椅子は、旅行の長さが、旅行中座ったままの位置であることを比較的不快にするとき、また旅行が、それにも関わらず個々の客室を正当化しないほどの短さであるときに特に有利な解決策であることが判明している。
【０００５】
このタイプの解決策は、たとえば、旅行が１期間だけの眠りを含み、有効な空間量が非常に限定されることが多い長距離の飛行機の場合に見出される。
【０００６】
これはまた、旅行の長さによっては、電車、バス、または船による一部の旅行にも当てはまる。
【０００７】
シートクッション、シート背もたれおよびレッグレストの動きを組み合わせて椅子のこれらのさまざまな部分を同じ平面内でほぼ水平に配置することにより、ベッド平面と同じ高さに固定されたベンチによって延ばされ得るベッドを形成することが可能になる椅子を製造することが知られている。
【０００８】
平坦なベッドに転換可能なそのような椅子は所望の快適性を提供するが、これらが数多く乗客室内に取り付けられたとき、これらの椅子は、シート間に、得られるベッドの長さに少なくとも等しい長手方向の距離（客室のシートピッチ）を必然的に伴い、また、別のシートに隣接するシートの占有者が自身の隣ではない通路にアクセスする必要があるときは、たいていそれより長い距離を必然的に伴う。
【０００９】
したがって、多くの空間を必要とするこのタイプの快適性は、豪華な客室用に確保され、所与の客室の長さ内に取り付けることができるシートの数が限定されることを意味している。
【００１０】
シート間の距離を低減しながら客室内のシートの数を増大させるために、シートの複数の部分の移動を限定し、その結果シートを中間水平位置または非常に傾斜した位置に、ただしさまざまな部分の間（一方ではシートクッションとシート背もたれの間、他方ではシートクッションとレッグレストの間）の角度が、平坦化されたＺ形状のプロファイルを得るように維持される状態で動かすこともまた知られている。
【００１１】
このいわゆる「くつろぎ位置」でのシートの長さにおける削減は、平坦なベッドの解決策に比べてシートピッチが低減される客室レイアウトを可能にするが、これは快適とはいえず、一般的には、ビジネスクラスまたはファーストクラスの乗客にとって不満足なものとなる。
【００１２】
平坦なベッドまたはくつろぎ位置の場合のシートピッチを低減するための別の知られている解決策は、シートの下方の、別のシートの前方に、後方のシートの占有者が足を中に入れる空間を用意することにある。
【００１３】
しかし、この解決策は、乗客が自身の足を十分に上げることを可能にしないので、快適性を損なうことが判明しており、平坦なベッドの場合、ベッドは、水平ではなく水平に対して実質的に傾斜していることを意味する。
【００１４】
したがって、輸送分野における過当競争は、商業的には非常に魅力的である一体化の水平の平坦なベッドを有するシートを備えた客室と、そのような平坦なベッドを有さないシートをより多く有し、したがって経済的にはより利益性があるが商業的には魅力的でない客室との間に難しい妥協を創出している。
【発明の概要】
【発明が解決しようとする課題】
【００１５】
本発明は、シートが平坦なベッドに転換可能であり、シートピッチが、ベッドの長さを実質的に下回り、たとえばくつろぎ位置を有するシートに必要とされるものと等しい、乗客を輸送するための客室の装備を施すことに関する。
【課題を解決するための手段】
【００１６】
そのような結果は、２つのシートのブロックで配置される本発明のシートを使用することによって得られる。
【００１７】
少なくとも２つのシートを有する本発明のシートのブロックでは、シートの要素を相対移動させることによって、各シートは、シートの占有者が座る位置にある椅子構成と、シートの要素がベッド平面を形成するように配置され、シートの占有者の体が実質的に平坦にかつ実質的に水平に伸びるベッド構成に個々に転換可能である。
【００１８】
ブロックの当該の２つのシートは、隣り合わせで配置され、ほぼ同じ方向に向けられ、
・各シートは、シートがベッド構成であるとき、シートの前方におよびベッド平面の延長上に位置する足の空間または領域に関連付けられ、この空間は、ベッド構成のシートの占有者の位置に対応しており、
・ベッド構成のシートの各々の長手方向軸は、シートの前方のブロックの対称の垂直平面内に位置する収束点に向かって収束し、それによってブロックの２つのシートの足の領域が、垂直投影面において少なくとも部分的に重ねられ、
・２つのシートがベッド構成であるとき、２つのシートのベッド平面は、ブロックが取り付けられる客室の床部に対して異なる高さにある。
【００１９】
ベッド部分は、したがって、シートの前方に向かって、ベッド構成のシートの長さをベッドの長さＬ０未満である長さＬ１まで低減することができるシートの要素の相対移動によって得られた表面を超えて延び、同じブロックのベッド位置にある２つのシートの足領域間の干渉は、２つのベッド平面の垂直のずれによって回避される。
【００２０】
ベッド構成の低減されたシート長さを補償するために、分離空間が、ブロックの後方部分内に、実質的には、２つのシートが椅子構成であるときの２つのシートのシート背もたれの間に配置される。
【００２１】
分離空間は、ほぼ垂直な柱によって占有され、この柱は、当該のブロックの後方に、同じ方向でかつ同じ軸を実質的に有して、２つのブロック間を分離する距離で、すなわち後方の類似のブロックのベッドの所望の長さＬ０未満である、レイアウトにおけるブロックピッチＸで置かれた類似のブロックのシートの足領域を垂直投影面においてカバーする。この柱に対応する空間は、したがって、１つのシートがベッド構成であるブロックの前方のブロックの２つのシート間に、後方に位置するブロックのベッドを所望の長さだけ延ばすための空間を創出することを可能にする。
【００２２】
椅子構成のシートのシートクッションの高さを床部上方の基準高さとして考えて、ブロックのシートの２つのベッド平面の垂直のずれは、ベッド構成のベッド平面の１つを椅子構成のシートクッションの上方にする、またはベッド平面の少なくとも１つを、ブロックのシートの少なくとも１つにおける椅子構成のシートクッションの下方にすることによって得られる。
【００２３】
ベッド平面間の垂直のずれを分散させ、シートの垂直移動の幅を抑えるために、シートの１つのベッド平面は、好ましくは、椅子構成のシートのシートクッションの垂直位置より上方にあり、シートの別のベッド平面は、シートクッションの位置の下方にある。
【００２４】
当該のブロックの後方に同じ方向でかつ同じ軸を実質的に有して位置するブロックの各ベッドが、独立したベッド表面を有するように、柱は、互いから分離され、ブロックの後方を向く方向に開口する２つの足領域を有する。
【００２５】
各足領域は、ほぼ水平面の足のせ表面を含み、足領域は垂直にずらされ、それにより、足のせ表面の１つは、ブロックのベッド平面の一方と同じ高さで位置し、その結果当該のブロックの後方に位置するブロック内で同じ高さを有するベッド平面の延長上に位置するようになり、別の足のせ表面は、当該の他方のベッド平面と同じ高さで位置し、その結果当該のブロックの後方に位置するブロックのこの他方のベッド平面の延長上に位置するようになる。
【００２６】
一実施形態では、ベッド構成のシートのベッド平面は、前記シートのシートクッション、前記シートのシート背もたれ、前記シートのレッグレストおよび／または１つまたは複数の移動可能なパネルによって決定され、この平面は、当該のブロックの前方に置かれた類似のブロックの足領域の足のせ表面によって延ばされ、またはそのような類似のブロックの柱に類似する特性を有する単独の柱の、ブロックの列の第１のブロックに対しては、シートクッション、シート背もたれ、レッグレスト、１つのパネルまたは複数のパネル、および足のせ領域が、ほぼ水平にかつ同じ平面内で位置合わせされてベッドを形成する。
【００２７】
別の実施形態では、ベッド構成のシートのベッド平面は、前記シートのシートクッション、前記シートのシート背もたれ、前記シートのレッグレストによって決定され、前記レッグレストは、当該のブロックの前方に置かれる類似のブロックの柱の、またはそのような類似のブロックの柱の類似の特性を有する単独の柱の中空の空間を貫通する足領域の足のせ表面を少なくとも部分的に形成し、前記シートクッション、シート背もたれおよびレッグレストは、ベッドを形成するようにほぼ水平にかつ同じ平面内で位置合わせされる。この実施形態では、柱の構造は、パーテーションの数を抑えることによって簡易化され、それによって維持管理および清掃がより簡単にもなる。
【００２８】
足領域、特に最も低いベッドの足領域が、乗客の快適性を満足させるために十分な容積、特に約３００ｍｍの十分な高さを有することを確実にするために、２つの隣接するシートのベッド平面は、シートがいずれもベッド構成であるとき、約３３０ｍｍの距離だけ垂直にずらされる。
【００２９】
概してこの十分な高さは、シートの上下の移動の幅を抑えること、および当該の動きを可能にする役割の機械的部分を簡易化することを可能にする。
【００３０】
少なくとも、利用可能である必要がある足領域の寸法によって課せられる寸法を有するブロックの柱は、足領域によって使用されない大きい容積部を形成し、この大きい容積部は、有利には、ブロックのための比較的簡単な技術装置、および／または当該のブロックの後方に位置するブロックのシートの占有者が使用することができる快適性または娯楽の装置を組み込むことを可能にする。
【００３１】
２つの隣接するシートの間の分離には、有利には、２つのシート間の閉構造が含まれ、この閉構造は、ベッド位置への転換中、シートクッションが下げられるシートに対応する閉構造の側に側部トリムパネルを備え、前記側部トリムパネルは、シートクッションが下げられる前記シートが、ベッド構成であるときに取り外し可能である。したがって、シートの機械的部分を分解する必要なく、閉構造の内部容積部およびそこに取り付けられた装置にアクセスすることが可能である。
【００３２】
ブロックの保管容量を向上させるために、ブロックは、有利には、その後方部分内に、ブロックを固定することを意図した床部のレベルと最も低いベッドの高さとの間に、前記ブロックの幅を横切る、保管空間を形成するくぼみを含む。ブロックの幅に対応する幅を有するそのような保管空間は、収容することが通常難しい長い物体を置くことを可能にする。
【００３３】
一実施形態では、ブロックは、収束する長手方向軸を備えた正確には２つのシートを備える。
【００３４】
別の実施形態では、ブロックは正確には３つのシートを備え、ブロックの３つのシートのうち２つの隣接するシートは、収束する長手方向軸を有し、第３のシートは、ブロック内のこのシートにもっと近いシートの長手方向軸にほぼ平行な長手方向軸を有し、このシートにもっと近い前記シートは、シートがベッド構成に転換されるときに上昇するシートクッションを有するシートである。
【００３５】
したがって、本発明による２つのシートのブロックまたは３つのシートのブロックを配置することにより、客室が、その幾何学的寸法に関して、特にその幅に制限を有する、所与の車両のレイアウトを最適化することが可能である。
【００３６】
本発明はまた、シートの少なくとも２つのブロックの少なくとも１列を有する、乗客を輸送するための客室または客室の一部にも関し、このブロック内では、シートのブロックの各シートは、シートの要素の相対移動により、シートの占有者が座る位置にある椅子構成と、シートの要素がベッド平面を形成し、シートの占有者の体が実質的に平坦にかつ実質的に水平に伸びるベッド構成に個々に転換可能であり、このブロック内では、シートは隣り合わせで配置され、実質的に同じ方向に向けられ、少なくとも２つのブロックは、シートの向きの同じ方向に前後に配置され、ブロックの列の方向に、ブロックの各々の基準点間の距離を特徴付けるピッチＸだけ分離される。
【００３７】
本発明の客室では、ブロックのシートの各々が、シートの向きの方向において直前の別のブロックの後に続く場合、ベッド構成において各シートのベッド平面は、シートの前方の、このシートの直前のブロックの内側の、内蔵された空間、すなわち直前のブロックのシートのシート背もたれ間の柱内に位置する足領域によって延ばされる。
【００３８】
さらに、列内で直前のブロックの柱内の、ブロックのベッドによって占有される空間の間の干渉を防止するために、ベッド構成のブロックのシートのベッド平面は、客室の床部上方で異なる高さにあり、最も高いベッドを占有している乗客が、自身のシートと客室の通路の間の移動をより容易にするために、客室の床部の垂直的に最も近くに位置するベッド平面を有するブロックのシートは、通路が接するブロック側に位置する。
【００３９】
したがって、客室は、シートピッチよりも長い長さを有するベッドを乗客に提供し、それによって所与の客室の長さに対してシート数を増大させること、または取り付けられたシートの数に合わせて客室の長さを低減することが可能になる。
【００４０】
所与の客室のレイアウトの制限事項に適合させるために、またはさまざまな寸法のベッドを提供するために、ブロックの少なくとも１列のブロックのピッチＸは、当該のブロックに応じて、ベッド構成におけるさまざまな長さＬ０を有するベッドを形成するために変更される。
【００４１】
ブロックの列内の最も前方のブロックには、有利には、前記列のシートの向きの方向の前方に、ブロックの柱に類似する内蔵された柱が前に置かれ、その結果ブロックの列内、全体的には客室内で使用される他のブロックに従ってブロックを使用することによってブロックの列の前方の第１のブロックのシート上に同じ快適な眠りを与えるようになる。
【００４２】
そのような客室を特徴とする、乗客を輸送するための車両、特に陸上輸送車両もしくは海上輸送車両、または代替的には航空輸送車両は、乗客密度を改善しながら、特にその旅行の長さが、提供されるサービスに関して個別の乗客室を正当化しないとき、実際の平坦なベッドの快適性をもたらすことを可能にする。
【００４３】
本発明の非限定的な実施形態の説明は、概略的な図を参照して行われる。
【図面の簡単な説明】
【００４４】
【図１ａ】第１の実施形態による、客室内の本発明による２つのシートの３つの整列したブロックの組の上方からの図である。
【図１ｂ】第２の実施形態における本発明による２つのシートの２つの整列したブロックの組の上方からの部分的分解図である。
【図２ａ】図１ａにおける３つのブロックの組の後方からの斜視図である。
【図２ｂ】図１ａにおける３つのブロックの組の前方からの斜視図である。
【図２ｃ】図１ｂの２つのブロックの組の後方からの、ベッド構成の斜視図である。
【図２ｄ】図１ｂの２つのブロックの組の後方からの、椅子構成の斜視図である。
【図３】本発明による飛行機の客室のレイアウトの例を示す図である。
【図４ａ】長い物体のための保管コンパートメントを形成するように構成されたブロックの、後方からの斜視図である。
【図４ｂ】長い物体のための保管コンパートメントを形成するように構成されたブロックの、側部からの斜視図である。
【図５】シートクッションの３つの位置で示す、シートクッションがベッド構成になるように下げられるシートの移動可能な保護キャップの配置の詳細図である。
【図６】客室内の本発明による３つのシートの３つの整列したブロックの組の上方からの図である。
【図７ａ】ベッドに転換可能な３つのシートのブロックの配置例の後方からの斜視図である。
【図７ｂ】ベッドに転換可能な３つのシートのブロックの配置例の前方からの斜視図である。
【発明を実施するための形態】
【００４５】
本発明は、シートの占有者が座る位置にある椅子構成と、シートの占有者の体がほぼ平坦にかつほぼ水平に伸ばされる平坦なベッド位置との間で転換可能なシート３に関する。
【００４６】
より具体的には、本発明は、ブロック２として参照される、平坦なベッドに個々に転換可能な少なくとも２つのシートの隣り合わせの配置に関し、また、客室１または客室の一部が、列に前後に配置された少なくとも２つのブロックを使用する乗客輸送手段、たとえば飛行機に関する。
【００４７】
本発明の説明および関連する図面において、同じまたは類似の要素を示す参照番号は、必要に応じて、これがシートの「椅子」構成における要素を参照する場合は接尾語「ａ」、これがシートの「くつろぎ」構成における要素を参照する場合は接尾語「ｂ」、これがシートの「ベッド」構成における要素を参照する場合は接尾語「ｃ」が後に続き、これらの異なる構成を以下の説明において詳述する。
【００４８】
たとえば、シートは全体的に参照番号３を有し、参照番号３ａは椅子構成のシートを示し、参照番号３ｂはくつろぎ構成のシートを示し、参照番号３ｃはベッド構成のシートを示している。
【００４９】
図１ａは、ブロック列状に前後に配置した、この例では２つのシートの３つのブロック２の上方からの図を示しており、このブロック列は、客室の寸法に応じて、類似の配置で任意のブロック数を含むことができる。
【００５０】
必須ではないが、シートはたいてい、シートの占有者が、図内に矢印で示した進行方向において客室の前方を向いた状態で向けられており、この方向の慣例は、以下の詳細な説明で使用されることになる。
【００５１】
本発明の説明では、別途記載されない限り、全体的には用語「前方の」、「後方の」、「高い」、「低い」、「上方の」、「下方の」、「前方向の」、「後方向の」、「上」、「下」などの用語は、シートの占有者が、椅子構成で座るときにその位置に対して理解するであろう意味を有する。
【００５２】
図１ａでは、最も前方のブロック２ａのシート３ａは、椅子構成で示されており、中央のブロック２ｃのシート３ｃは、平坦なベッド構成で示されており、後方のブロック２ｂのシート３ｂは、椅子構成の位置と平坦なベッド構成の位置との間のシートの中間状態に対応するくつろぎ構成で示されている。
【００５３】
知られている方法では、シート３は、主に、シートクッション３１、シート背もたれ３２、および場合によってはレッグレスト３３を備える。
【００５４】
同様の知られている方法では、シートの椅子構成３ａでは、シート背もたれ３２ａは、垂直に近い位置になるように真っすぐにされ、前方のブロック２ａのシート３ａの上方からの図では見ることができないレッグレスト３３は、シートまたは椅子の古典的構成を再現するように折り畳まれている。
【００５５】
シート３ｃの平坦なベッド構成では、シートクッション３１ｃ、シート背もたれ３２ｃおよびレッグレスト３３ｃは、ほぼ水平位置にあり、ベッド平面３５を形成するように位置合わせされている。
【００５６】
最後にシート３ｂのくつろぎ構成では、シートクッション３１ｂおよびシート背もたれ３２ｂは、上方向を向く角度を形成し、シート背もたれは後方向に傾斜しており、必要に応じて、シートクッション３１ｂおよびレッグレスト３３は、下方向を向く角度を形成し、それによってシート３ｂは、多かれ少なかれ開いた平坦化されたＺの形状のプロファイルを有するようになる。
【００５７】
各シートは、上方からの図では、シート３の対称の垂直平面の延長部に対応する長手方向軸３４を有し、ブロック２は、上方からの図では、ブロックの対称の垂直平面の延長部に対応する長手方向軸２４を有し、ブロックの２つのシート３自体は、ブロック２内の類似の長手方向位置にブロック内で隣り合わせに配置され、同じ方向に実質的に向けられる。
【００５８】
しかし、図１ａまたは図１ｂで明確に見ることができるように、シート３は、正確には同じ方向に向けられないという特徴を有し、ブロック２の２つのシートの各々の長手方向軸３４は、シートの前方の前記ブロックの軸に向かって収束する。
【００５９】
図１ａおよび１ｂの示した好ましい実施形態では、ブロックのシートの配置は対称的であり、ブロックの２つのシートの軸は、実際、上方から見ると、実質的にはブロックの対称の垂直平面内の、シートの前方に位置する同じ収束点に向かって収束する。
【００６０】
この収束構成は、対応する所与のブロック２の２つのシート３の間の、ブロック２の構造に組み込まれた柱４の場所にある前記シート背もたれ間の分離空間に関連付けられる。
【００６１】
柱４は、ブロックの列内で当該ブロック２のすぐ後方のブロックに位置する２つのシート３の長手方向軸３４の収束点に実質的に位置し、前記長手方向軸間の距離が低減される位置にある。
【００６２】
より具体的には、２つのシート３の長手方向軸３４の収束は、当該のブロック２のすぐ後方に位置するブロックのシート３が平坦なベッド構成に置かれるとき、柱４が、上方から見たとき、一方では形成されたベッドの実質的に延長上に、他方ではベッド構成のシートの占有者の足の領域内に位置するようなものである。
【００６３】
したがって、図１ａおよび１ｂに示すように、ブロックに組み込まれた柱４は、ブロックの列内ですぐ後方に位置するブロック２ｃの２つのシート３ｃの各々によって形成されたベッドの延長上にある。
【００６４】
図１ａに示す場合に対応する実施形態では、本発明のシートの特徴は、シートの長手方向軸３４の方向に実質的に対応するベッドの長手方向の、シートのシート背もたれ３２ｃ、シートクッション３１ｃおよびレッグレスト３３ｃによって形成されたベッド表面の基線長と呼ばれる長さＬ１が、平坦なベッドの所望の長さＬ０未満であること、および柱の深さＰと呼ばれる、柱４の、前記柱の後方に位置するブロック２のシート３の軸３４の方向の寸法が、ベッドの所望の長さＬ０を得るために基線長Ｌ１に加えられなければならない追加の長さに実質的に対応することである。
【００６５】
したがって、ブロックの柱４は、すぐ後方に位置するブロックの各シート３の前方に、ベッド構成の当該のシートの前方の各シートに関連付けられた空間、すなわち以下で詳述する配置によって平坦なベッド構成のシートの占有者の足を、その人のサイズが必要とする場合に中に入れることができる足領域４１と呼ばれる空間を画定する。
【００６６】
したがって、柱４は、少なくとも各平坦なベッドの延長上で、一方では中空であり、他方では後方に位置するブロック２の各シート３に向かって開口することが理解されよう。
【００６７】
さらに、乗客が自身の足をのせることができるように、場合によってはこの目的に適したパッドを有するほぼ水平の足のせ表面４２が、図２ａに示すように、その延長上にかつ他方の平坦なベッド表面と同じ高さで配置される。
【００６８】
また、本明細書における当該の深さＰは、柱４の中空部分の内部寸法であり、この柱の壁は、その厚さが、柱４の構造が受ける負荷の限定を踏まえて比較的小さくてよい場合でも必ずある一定の厚さを有すること、および足のせ表面４２の高さが先天的に固定されることも理解されよう。
【００６９】
これらの幾何学的配置、および図１ａに示すように、上方から見たとき、２つのシートの軸３４が収束するという事実を踏まえて、同じ柱４の、後方に位置するブロックの２つのシートに対応する足領域４１は、干渉ゾーンの領域内で少なくとも部分的に重ねられ、特にこのとき前記足領域は、占有者の両足が同時にベッドの端部に到達できなければならないという、シートの占有者の快適性を保証するのに十分な広さのものである。
【００７０】
柱４の足領域４１を決定する容積部間の明らかな衝突を克服するために、本発明の別の特徴は、同じブロック２の２つのシート３の平坦なベッド平面３５の相対的な垂直位置に関する。
【００７１】
図１の３つのブロックの組を後方からの部分的な斜視図で示す図２ａを参照すれば、ブロック２の柱４の足領域４１は、後方に位置するブロックの各シートが、他方のシートの足領域から完全に単独化された専用の足領域４１を有するように垂直にずらされていることに留意されよう。
【００７２】
この垂直のずれは、各足領域４１に対する柱４の可能となる深さおよび幅の全体を利用することを可能にする。
【００７３】
垂直にずらされた足領域４１を、平坦なベッド位置にあるシート３が使用できるように、各シート３のベッド平面３５は、シートの延長上に位置する足領域４１の足のせ表面４２と同じ高さに置かれ、換言すれば、平坦なベッド位置にある同じブロック２の２つのシート３のベッド平面３５は、垂直にずらされている。
【００７４】
本発明のシート３が、シート３のシートクッション３１が客室の床部に対してほぼ同じ高さで先天的に位置する椅子構成から、平坦なベッド構成に転換されるように使用されるとき、ブロック２のシート３の一方は、全体的に下方向に移動させられ、一方で前記ブロックの隣接するシートは、全体的に上方向に移動させられる。
【００７５】
これらの下方向および上方向の移動は、絶対的観点では、２つのシート間の相対移動であり、重要な結果は、最終的なリクライニング位置の間の床部に対する所望の垂直なずれと、各々のベッド平面３５と対応する足のせ表面４２との垂直な位置合わせとを得ることである。
【００７６】
実際には、シートの一方の大幅な垂直移動を防止するために、またベッドの一方が高すぎるまたは低すぎることを防止するために、実行される垂直変位をブロックの２つのシート間で共有することが有利である。
【００７７】
ブロック２のシート３の移動は、好ましくは、ブロックの他方のシートの移動から独立している。
【００７８】
椅子位置からベッド位置への転換中に下げられるシートのシートクッション３１の下方向の変位を可能にするために、シートクッションの下方に位置する保護トリム３６は、シートクッションが変位されたとき、折り畳むことができるように移動可能にされる。
【００７９】
図５に示すように、保護トリム３６は、その美的目的に加えて、安全上の役割を有して、物体、衣類、または人が、転換中に移動を行うさまざまな移動部分または機構に挟まれることを防止する。保護トリム３６がシートクッションの位置すべてにおいてその機能を正しく実行するように、シートクッションの下方に位置するトリムの下側部分３６２は、このトリムの上側部分３６１上に連接される。
【００８０】
シートクッション３１がその椅子位置にあるとき、換言すれば、図５のａに詳細を示すように当該の椅子の上側位置にあるとき、トリムの下側部分３６２は、たとえばばね手段または任意の適切な弾性要素によって押し下げられ、シートクッションがベッド位置に変位されるとき、換言すれば当該の椅子の下側位置にあるとき、トリム３６の上側部分３６１上、またはシートクッションの構造的要素上に連接された前記下側部分は、シートクッション３１の下方に位置する領域の保護を続けながら、シート３の移動を妨害しないように徐々に押し戻される（図５の詳細ｂおよび詳細ｃ）。
【００８１】
一実施形態では、客室の床部上方の椅子のシートクッションの高さの標準値が約４３０ｍｍと考えて、最も低い位置をとるシートのベッド平面３５は、このシートのベッド平面を客室の床部の約３００ｍｍ上方に維持するように１３０ｍｍだけ下げられ、最も高い位置をとるシートのベッド平面は、２００ｍｍだけ持ち上げられ、すなわち最も低いベッド平面の３３０ｍｍ上方にあり、その結果パネルおよびパッドの必要とされる厚さを踏まえて、最も低い足領域に対して少なくとも３００ｍｍの高さである足領域４１を創出する。
【００８２】
シートのさまざまな部分の必要な移動は、所望の移動および移動の組み合わせに適した運動学を有する任意の装置によって実行される。
【００８３】
所望の垂直移動は、たとえば、椅子構成とベッド構成の間の転換をもたらすためにシート３の複数の部分（シート背もたれ３２、シートクッション３１およびレッグレスト３３）の移動に使用されるのと同じ装置によって得られ、またはシート３の複数の部分を互いに対して移動させる装置とは別個の装置、たとえば、シートクッションを支持し、作動装置（図には示さず）に関連付けられる伸縮式の柱またははさみ連結機構などの垂直移動専用の機構によって得られる。
【００８４】
さまざまな移動は、有利には、シート３に組み込まれ、シートの占有者によって制御可能である１つまたは複数の電気作動装置によって実行される。
【００８５】
実際には、シート３の垂直移動は、平坦なベッド構成への変更中、ブロック２の２つの隣接するシート間で、特にシートの最も前方の部分内に、たとえばシートクッション３１またはレッグレストが使用されるときはレッグレスト３３の領域内に起こり得る機械的干渉を防止するために実行されなければならない。
【００８６】
必要である場合、各々のシート３には、機械的停止部の形態の移動制限器または機械的干渉を起こし得るシートの移動部分の移動が組み合わされることを防止するための作動装置の制御ロジックが備えられる。
【００８７】
好ましい例示的な実施形態の説明は、本発明の範囲を超えることなく当業者の知識範囲の代替形態を有することができる。
【００８８】
たとえば、シートは、椅子構成と平坦なベッド構成の間の中間のくつろぎ構成を有さなくてもよく、それによってシート３の移動を制御する運動学または手段を簡易化することが可能になり、またはその反対に、シートの占有者ができるだけ多くの配置を有するように、シートは複数の中間位置を有することができ、その位置は、極限位置間、または椅子構成と中間位置の間で連続して調整可能にもなり得る。
【００８９】
一実施形態では、シート３はレッグレスト３３を備えず、または低減された寸法のレッグレストを有する。前記シートは主に、上記で詳述したように、シートクッション３１およびシート背もたれ３２、場合によっては低減された寸法のレッグレストを備え、これらは平坦なベッド部分を形成する。この実施形態では、ベッド構成のシートクッション３１またはレッグレストの前方縁と、足領域４１の間に開放空間が残る場合、前記開放空間は、図示しないが、ベッド構成位置にあるレッグレスト３３と機能的に同等である移動可能なパネルによって閉じられる。
【００９０】
そのような移動可能なパネルは、シートが椅子構成であるとき、たとえばシートのシートクッション３１の下方に、または柱４内に、または足領域４１内に、または代替的にはベンチまたはパーテーション内に保管される。前記移動可能なパネルは、たとえば、摺動するものであり、または連接され、代替的には脱着式であり、展開位置に配置されたときに平坦なベッド平面３５を完成するパネルの組立体から生じることができる。
【００９１】
別の実施形態では、その反対にレッグレストはより長い長さを有し、それにより、ベッド位置において、レッグレストは、シート３の前方において足領域４１内の柱４の中空の空間の内側に延び、ベッドの所望の長さを得るようにシート背もたれおよびシートクッションを延ばすベッド平面の部分を形成する。
【００９２】
この場合、図１ｂ、２ｃおよび２ｄに示すように、レッグレスト３３は、上記で説明した実施形態の足領域４１内に組み込まれる足のせ表面４２と置き変わる、ベッドの占有者の足のための足のせ表面４２’を含む。上記で説明した実施形態と同様に、ベッド平面３５は、２つのシート３ｃ、実際にはレッグレスト３３の足のせ表面４２’が、ベッド位置において柱４内で少なくとも部分的に重ねられるように垂直にずらされる。
【００９３】
この実施形態では、ブロック２の後方側に開口する柱４の中空の空間は、足用の組み込まれた足のせ表面を必ずしも含まず、または低減された表面（図示しない選択肢）のみを含み、前記中空の空間は、図２ｃおよび２ｄのように、転換中、レッグレスト３３の展開を妨害し得るパーテーションをもはや備えない。
【００９４】
しかし、シートの各占有者の専用空間をより良好に分離するために、パーテーション（図示せず）を、レッグレストに干渉しない限り、柱４の中空の空間内に配置してもよい。
【００９５】
図示しない実施形態では、シートの軸３４の向きは、シートが置かれる構成に応じて変更される。
【００９６】
たとえば、シートの軸３４は、シートが椅子構成またはくつろぎ構成であるとき、ブロックの軸２４に対して平行に向けられ、シートの軸２４は、シートがベッド構成であるとき、前方に位置するブロックの柱４を利用するために、上記で説明したようにブロックの軸の一点に向かって収束するように向けられる。シートの軸３４の向きは、たとえば、ベッド構成へのまたはベッド構成からの転換中、シートクッション３１を回転させることによって変更される。
【００９７】
すでに明示したように、ブロック２の向きは、車両の進行方向とは異なっていてよく、特に客室のブロックまたはブロックの一部は、ブロックの前方の面が車両の後方を向く状態で向けられてよく、または特定の取り付け制約を満たすために、車両の軸から多かれ少なかれ遠くに離れてもよい。
【００９８】
これらの向きの制限は、とりわけ快適性の理由で、場合によっては安全または法規上の理由で決定付けられ、本発明の利点は、さまざまな図で示すように、シートの少なくとも２つのブロックを列で配置することによって得られる。
【００９９】
図２ａから２ｄに示す場合に対応する好ましい実施形態では、２つのシート３のブロック２は、シートクッション３１、シート背もたれ３２、および柱４と共にブロックの可視部を形成する外側シェル２１を備える。
【０１００】
たとえば、有利な剛性および質量で形成することができる形状に関して複合材料によって得られる可能性があるという理由で、これらの材料から作製されたこのシェル２１は、単一部分または複数の部分の組立体の形態をとり、美的上の理由でかつシートの占有者の安全のために、シートの要素の移動を実行する機構を封入する。
【０１０１】
足領域４１が配置された柱４の、前記足領域によって占有されない容積部は、有利には、シートの占有者の所持品を収容するため、またはシート作動装置およびその安全装置のための電源など、もしくは快適性を提供する装置、たとえば個人用照明および空調など、もしくはシートの占有者のための娯楽装置、特に図２に示すようにビデオスクリーン４３などのシートの必須または補助のデバイスを取り付けるための容積部、または代替的には保管空間を形成するために使用される。
【０１０２】
最も低いベッドの足領域は、ブロック２が固定される客室の床部の実質的に上方に位置するため、ブロックの後方の下側部分内に、最も低いベッドの高さを下回る高さの前方向に向けられたくぼみを形成することが有利であり、このくぼみは、ブロックを横方向に横切る容積部を決定する。
【０１０３】
そのような横の容積部２３は、図２ｃおよび２ｄならびに図４ａおよび４ｂに示した実施形態で示している。図４ａおよび４ｂに明確に示すように、容積部２３は、シートの占有者が、その占有者またはその通路の他の乗客の通行を妨害することなく長い物体を収容することを可能にし、したがって快適性および安全性を向上させる。
【０１０４】
他の補助要素が、有利には、ブロックのシェル２１に関連付けられる。
【０１０５】
特に、図２ａおよび２ｂに特に見ることができるブロック２の２つのシート３用の分離パーテーション２２が、当該のブロックに組み込まれた柱４の前方に配置される。
【０１０６】
好ましい実施形態では、このパーテーション２２は、隣り合わせの２つのシートの占有者が良好な状態で会話をすることを可能にする、少なくとも１つの少なくとも部分的に後退した位置と、シートの各占有者がある程度のプライバシーを有する少なくとも１つの延長位置とを有する。
【０１０７】
有利な配置では、ブロックに関連付けられた、前記ブロックのシートの作動上の要求事項のための技術的手段、たとえばエネルギー供給手段、制御または指令装置、代替的には安全要素は、ブロックの２つのシート間の、２つのシートを分離する閉構造２４の内側に配置される。さらに、閉構造２４には、シートがベッド構成で置かれたときにシートクッションが下げられるシート３の側に位置する少なくとも１つの取り外し可能な側部のトリムパネル２４１が設けられ、それにより、シートが、たとえば図２ｂに示すようにベッド位置にあるときに前記側部パネルを前記構造に締め付ける手段にアクセスすることができる。
【０１０８】
この位置では、次いで、締め付け手段を容易に取り外すことができ、トリムパネル２４１を最短時間で最小の工数をかけて保全作業者が外すことができ、保全作業者は、設計上、中間構造２４内に配置され前記中間構造内に置かれた装置すべてに容易にアクセスすることができ、それにより、シート３を取り出す必要なくこれらの装置に到達することができる。
【０１０９】
さらに、図において縮尺に従って示す２つのシートの完全に対称的なブロック２を図は示しているが、ブロックまたはシートの、垂直対称のそのそれぞれの平面に対する対称性は、本発明の範囲を超えることなく完全でなくてもよい。
【０１１０】
たとえば、同じブロック２の２つのシート３は、本発明の利益を損なうことなく、たとえば取り付けまたは組み立てを最適化する理由で、わずかに異なる長手方向位置またはブロックの軸との収束角度を有することができる。
【０１１１】
本発明はまた、隣り合わせに配置された３つのシートのブロック２にも関する。
【０１１２】
ブロックのそのような配置が、図６、７ａおよび７ｂに示されている。
【０１１３】
この場合、３つのシートの２つの隣接するシート３は、２つのシートのブロックに関して説明したものと類似する方法で配置されており、換言すれば特に前記２つのシートの長手方向軸３４は、前方に向かって収束しており、前記２つのシートは、図７ａおよび７ｂに見ることができるように、ベッド位置では垂直にずらされている。
【０１１４】
当該のブロックの第３のシート３’は、このとき最も高いベッドを有するシート３の自由側に横方向に配置され、シート３の反対側は収束するシートが位置する。
【０１１５】
さらに、前記第３のシート３’は、
−その長手方向軸３４’が、隣のシート、したがって３つのシートのブロックの中央のシートの軸３４に対してほぼ平行であり、
−そのベッド平面３５’が、好ましくは、隣のシートのベッド平面３５の下方に、先天的には３つのシートのブロックの他方の側に位置するシートのベッド平面の高さに実質的に対応する高さにあるようなものである。
【０１１６】
したがって、この配置では、ブロックの３つのシートがベッド位置にあるとき、そのブロック内の２つの他のシート間に位置するシート、すなわち中央のシートのベッド平面は、ブロックの側部の両側に位置するシートの高さよりも大きい高さで床部上方に位置している。
【０１１７】
そのような構成は、ブロックのそれぞれの側に通路を有する客室内で３つのシートを横に並べて配置することを可能にし、中央シートの占有者が、ブロックの側部に位置するシートの占有者によって妨害されることなく通路のいずれかにアクセスすることを可能にする。
【０１１８】
３つのシートの３つのブロック２の配置を上方から見た図の図６に見ることができるように、第２の柱４’が、ブロック２の後方部分内の、中央シート３とシート３’の間に配置され、このときシート３’の長手方向軸３４’は、前記中央シートの長手方向軸３４に対してほぼ平行である。
【０１１９】
この第２の柱４’の配置は、２つのシートのブロックの場合では、収束する長手方向軸３４を有するシート３の対称の全体平面の軸に対応する、ブロック列の軸２４に対するシート３’の軸３４’の角度的ずれによって容易にされる。
【０１２０】
３つのシートのブロック２の第２の柱４’はまた、中空の空間も有し、当該のブロックのすぐ後方に位置するブロックの対応するシートの占有者のための足領域４１’を形成すること、およびベッド位置にある３つのシートに対して同等の快適性を与えることを可能にする。
【０１２１】
２つのシートのブロックを有するさまざまな実施形態および可能なブロック配置はまた、３つのシートのブロックでも可能であることが理解されよう。
【０１２２】
本発明はまた、乗客を輸送するための輸送車両の客室１、たとえばバスもしくは電車などの陸上車両、水上艦などの海上輸送車両、または飛行機などの航空機の客室の配置にも関し、乗客用のシート３のその配置では、上記で説明したブロックによる３つのシート３の少なくとも２つのブロックの少なくとも１列が、ブロック２の列として配置される。
【０１２３】
図３は、乗客が椅子構成内にあり、飛行機の前方を向いて座るようにすべてが向けられた、２つのシートの５つのブロック２の３列を有する飛行機の客室の配置のそのような例を示しており、列の数および１列あたりのブロックの数の両方のこれらの値およびこの向きは、例示の目的で無作為であり、本発明における限定を示すものではない。
【０１２４】
産業的および経済的理由のため、さまざまなブロックは、好ましくは同一であり、またはたとえば客室内の特有の位置または環境による二次的特性においてのみ異なる。しかし、２つのシートのブロックと３つのシートのブロックを組み合わせる客室配置が可能であり、客室の幅が、この場合は飛行機の機体の前方または後方に向かって変化する場合に有利であることが判明し得る。
【０１２５】
そのような配置では、シートの基準点を分離する２つ連続するブロック間の距離に対応するシート３のピッチＸ、換言すればシートのブロック２のピッチは、ベッドの長さＬ０から足領域４１の深さＰを引くことによって、またブロックの列の軸２４に対するシートの軸３４によって形成される角度の余弦によって必要とされる距離に乗数効果をもたらす角度によって求められる。
【０１２６】
ブロックは、好ましくは、ベッド構成において客室の床部に対して最も低いベッド平面３５を有するブロックのシート３が、通路の隣に位置するように客室内で形成および配置される。
【０１２７】
したがって、最も高いベッドの占有者が、最も低いベッドをまたいで通路にアクセスする必要があるとき、特にその前方部分内では、低い方のベッド平面が上側のベッド平面の部分的に下方にあり、したがってまたがれる幅を低減しているため、こうした動きは一層容易にされる。
【０１２８】
この状況は、客室の両側、図３の場合は機体の壁に沿って配置されるブロックの列の場合に起こり、壁の隣のベッドを占有する乗客は、通路の隣のベッドをまたぐことによってのみ通路にアクセスすることができる。
【０１２９】
この制限はまた、３つのシートのブロックを使用するレイアウト、または代替的には２列のブロックを、通路を前記２列のブロックの間に有さずに有する構成（図示せず）、たとえば４列のブロックを取り付けることを可能にする幅を有する機体の構成であって、そのうちの２列のブロックが、それらがほとんど接触するように互いに近づけて置かれ、互いに近づけて置かれた前記２列の各側に通路が接する、構成においても生じる。
【０１３０】
ブロックの列の前方にある第１のブロック２のシート３が、所望のベッド長さを有するベッド構成から利点を得ることを可能にするために、ブロック２の柱４に類似するがブロックには組み込まれない柱４ｅが、客室１内の、別のブロックが当該のブロックの前方に位置した場合にこの柱が配置されていたであろう場所に配置される。
【０１３１】
この柱４ｅは、図３に示した例のように単独化されてよく、または有利には、他の建具、たとえば客室、クローク室、または保管ユニットの分離パーテーションに組み込まれてもよい。
【０１３２】
ブロックの列の最も後方のブロックもまた、その後方に他のブロックが存在しない特定の状況にある。
【０１３３】
このブロックの柱は、有利には、客室１の後方部分内の建具に組み込まれても組み込まれなくてもよい保管空間を創出するために使用される。
【０１３４】
一実施形態では、柱４の足のくぼみ４１は、約５００ｍｍの深さＰを有し、シートピッチＸは１５２４ｍｍ（６０インチ）であり、それによってくつろぎ構成に限定されたシートに概ね関連付けられるシートピッチで、少なくとも１８００ｍｍの平坦なベッドを形成することが可能になる。
【０１３５】
図３に示すレイアウトなどの１列あたり５つのブロックを備えるレイアウトは、したがって、等しい数の同じ長さの平坦なベッドを知られているシートを用いて現在のレイアウトに取り付けるのに必要であろう長さよりも、１３８０ｍｍ小さい客室長さを必要とする。
【０１３６】
シートピッチの低減を伴うベッド長さにおけるこの削減は、ブロック２の２つのシート３間の柱４の存在によってシートのブロックの広さを犠牲にして達成されることに留意されよう。
【０１３７】
しかし、この広さの拡張は、ブロックを形成するさまざまな要素に対して選択される形状の組み合わせによって補償される。
【０１３８】
一方では、上方から見たとき、柱４は、頂点が前方を指す全体的に三角形の断面を有し、この形状は、各ブロック２のシートの軸３４の収束によって可能にされる。
【０１３９】
この形状は、椅子構成のシート背もたれ３２において必要とされる間隔を限定することを可能にし、シート背もたれ３２ａは、図１の前方のブロック２ａに関して示すように、柱が相対的に小さい幅を有する、相対的に前進した位置にある。
【０１４０】
他方では、シート３のシート背もたれ３２は、椅子構成のシート背もたれの上側部分内に低減された幅を有する。この低減された幅を有する領域は、標準的な体形の大人用の、背もたれ領域の幅の大きさを必要としないヘッドレスト領域に対応する。
【０１４１】
したがって、シート背もたれが、シートをくつろぎ構成またはベッド構成に置くために後方向に傾斜されたとき、シート背もたれ３２の上側部分は、柱４に干渉することなく椅子構成よりさらに後ろの位置をとることができる。
【０１４２】
したがって、図１に示すように、ベッド構成で示される中間ブロックにおいては、シート背もたれ３２ｃの形状は、柱４の存在に合わせて適合され、また柱４とは反対側にある側のシェル２１の最大幅を、シート背もたれ３２が一定の幅を有していた場合にシェル２１が有していたであろう幅から低減することを可能にもする。
【０１４３】
一実施形態では、シートのシートクッションの幅において依然として可能ないかなる譲歩も加えることなく、換言すればシートクッション３１に対して５３３ｍｍ（２１インチ）の快適な幅を維持しながら、２つのシートのブロック２の幅は、分離せず、平行軸を有した隣り合わせの２つのシートを有する従来の構造における１３７２ｍｍ（５４インチ）から１４４８ｍｍ（５７インチ）の幅に増大する。
【０１４４】
さまざまな飛行機の客室におけるレイアウトの分析では、機体の横断面が、ブロックの列間の１つの通路または複数の通路の幅を結果として低減する必要を意味するとき、通常、ブロックの幅を、例示的な実施形態では７６ｍｍだけ増大させることについての問題は特に存在しないことが示されている。
【０１４５】
本発明の特定の実施形態では、ブロック２は、さまざまなベッド長さに適合するように作り出される。
【０１４６】
レッグレストの寸法および／またはシートクッション３１と足領域４１の間の移動可能なパネルの寸法を適合させることによって、またブロックのピッチＸを適合させることによって、ブロック内のベッドの長さを容易に増減することができる。
【０１４７】
この利点は、ブロック自体の設計を損ねることなく、ブロック２を取り付けるピッチＸを変更することによって平均より長いベッドおよび／または平均より短いベッドを備えた何らかのシートを提供することにより、特に、より大きい快適性を備えた客室を提供し、または客室の構成を最適化することを可能にする。
【０１４８】
この解決策は、他の要因（出口、飛行機の材料固定具など）によって決定され得る客室の長さが、標準的なピッチで配置されたブロックの全体数に正確に対応しないとき、また、一部のシートが、平均より大きい一部の乗客のための特別なニーズを満たすために「長くされ」得るときに、特に有利であることが判明している。
【０１４９】
したがって、本発明は、ベッド長さより実質的に小さいシート間のピッチを有するベッド構成の非常に快適なシートを作り出すこと、および乗客用の客室、特に飛行機の客室に、所与のベッド長さおよび所与の客室に対して、知られているシートで装備が施されるときよりも多くの数のシートを装備すること、または所与のシート数および所与のベッド長さに対して客室の長さを低減することを可能にする。
【符号の説明】
【０１５０】
１  客室
２  ブロック
２ａ  前方のブロック
２ｂ  中央のブロック
２ｃ  後方のブロック
３、３’  シート
３ａ  椅子構成のシート
３ｂ  くつろぎ構成のシート
３ｃ  ベッド構成のシート
４、４’、４ｅ  柱
２１  外側シェル
２２  分離パーテーション
２３  くぼみ
２４  ブロックの長手方向軸、閉構造
３１、３１ａ、３１ｂ、３１ｃ  シートクッション
３２、３２ａ、３２ｂ、３２ｃ  シート背もたれ
３３、３３ａ、３３ｂ、３３ｃ  レッグレスト
３４、３４’  シートの長手方向軸
３５、３５’  平坦なベッド平面
３６  保護トリム
４１、４１’  足領域
４２  足のせ表面
４２’  レッグレストの足のせ表面
４３  娯楽の装置
２４１  側部のトリムパネル
３６１  トリムの上側部分
３６２  トリムの下側部分
Ｌ０  ベッドの所望の長さ
Ｌ１  基線長
Ｐ  柱の深さ
Ｘ  シート（ブロック）ピッチ
【図１ａ】
2013512815.tif 000003
【図１ｂ】
2013512815.tif 000004
【図２ａ】
2013512815.tif 000005
【図２ｂ】
2013512815.tif 000006
【図２ｃ】
2013512815.tif 000007
【図２ｄ】
2013512815.tif 000008
【図３】
2013512815.tif 000009
【図４ａ】
2013512815.tif 000010
【図４ｂ】
2013512815.tif 000011
【図５】
2013512815.tif 000012
【図６】
2013512815.tif 000013
【図７ａ】
2013512815.tif 000014
【図７ｂ】
2013512815.tif 000015
【国際調査報告】
2013512815.tif 000016
2013512815.tif 000017
2013512815.tif 000018
2013512815.tif 000019